(57)【要約】【課題】  外部装置に表示されているドライバーソフトの操作部上でのユーザの読み取り方法の選択に頼ることなく、読み取り方法の切り替えを行い、かつ、ユーザに画像読取装置の読み取り方法を認識させることが可能である画像読取装置を提供する。【解決手段】  画像読取装置で画像の読み取りを行う際、外部装置上に画像読取装置のドライバーソフトを起動する前に、上記透過原稿読取ガイドが画像読取装置の原稿台に置かれているかを判別することにより、自動的に画像の読み取り方法を判別して、画像の読み取り方法を切り替え、外部装置上にドライバーソフトを起動したときに画像の読み取り方法をドライバーの操作部に表示を行うことを特徴としている。【選択図】        図５
2006157408.tif 000002
【特許請求の範囲】
【請求項１】
原稿を読み取った画像を、電気的な画像信号に変換するイメージセンサと、画像信号をデジタル信号に変換するＡ／Ｄ変換器と、前記デジタル変換された画像信号を外部装置に転送する手段と、反射原稿を読み取るための手段と、透過原稿を読み取るための手段と、透過原稿を読み取るときに使用する透過原稿読取ガイドを備えた画像読取装置に置いて、
前記画像読取装置は、接続された前記外部装置上に制御するための操作部を備え、前記操作部を前記外部装置上に起動する際に、前記透過原稿読取ガイドが前記画像読取装置の原稿台にあることを判別し、前記透過原稿読取ガイドが画像読取装置の原稿台にあることを判別された場合、前記透過原稿を読み取るための手段で画像の読み取りを行うことを前記外部装置の操作部に表示することを特徴とすることを特徴とする画像読取装置。
【請求項２】
前記透過原稿読取ガイドが画像読取装置の原稿台にはないことを判別された場合、前記反射原稿を読み取るための手段で画像の読み取りを行うことを前記外部装置の操作部に表示することを特徴とする請求項１記載の画像読取装置。
【請求項３】
前記透過原稿読取ガイドが画像読取装置の原稿台にあることを判別された場合、前記透過原稿を読み取るための手段で画像の読み取りを行うことを特徴とする請求項１記載の画像読取装置。
【請求項４】
前記透過原稿読取ガイドが画像読取装置の原稿台にはないことを判別された場合、前記反射原稿を読み取るための手段で画像の読み取りを行うことを特徴とする請求項１記載の画像読取装置。
【発明の詳細な説明】
【技術分野】
【０００１】
本発明は、原稿として読み取った画像を、電気的な画像信号に変換するイメージセンサにて読み取り、それをＡ／Ｄ変換器にてデジタル化した画像信号を外部装置に転送することが可能な画像読取装置に関するものである。
【背景技術】
【０００２】
従来の画像読取装置において、反射原稿を読み取る機能と透過原稿を読み取る機能を持ち、それぞれの原稿に対して読み取り方法が異なっているものがある。
【０００３】
近年、この種の画像読取装置においては、反射原稿と透過原稿で読み取り方法が異なっているため、それぞれの原稿を読み取るためには、画像読取装置をコントロールしている外部装置上のドライバーソフトの操作部上にて、どちらの原稿を読み取るのかをユーザが選択し、画像読取装置は選択された原稿の読取装置に切り替えを行っていた（例えば、特許文献１参照）。
【特許文献１】特開２００２−３３８７２号公報
【発明の開示】
【発明が解決しようとする課題】
【０００４】
しかしながら上記の構成において、ユーザが画像読取装置をコントロールしている外部装置上のドライバーソフトの操作部上で読み取る原稿を選択させると、ユーザの操作ミスによりユーザの意図していない原稿の読み取り方法で原稿が読み込まれてしまうという問題点があった。
【０００５】
具体的には、ユーザが反射原稿の読み取りを行いたいのに、外部装置上での読み取る原稿の選択を誤り、透過原稿の読み取り方法を選択してしまうと反射原稿が原稿台に置かれているにも関わらず、透過原稿の読み取り方法で反射原稿の読み取りが行われていた。
【０００６】
本発明は、上記問題点に鑑み、外部装置に表示されているドライバーソフトの操作部上でのユーザの読み取り方法の選択に頼ることなく、読み取り方法の切り替えを行い、かつ、ユーザに画像読取装置の読み取り方法を認識させることが可能である画像読取装置を提供することを目的とする。
【課題を解決するための手段】
【０００７】
この種の画像読取装置において、透過原稿の画像読取エリアは反射原稿の画像読取エリアよりも狭く、また読取エリアも異なっているため、透過原稿を読み取る際にはユーザに透過原稿の読取位置を簡単に認識させるための透過原稿読取ガイドが必要で、この透過原稿読取ガイドを使うことにより、透過原稿の読み取りを行っている。
【０００８】
また、画像読取装置をコントロールするために、外部装置上にドライバーソフトを起動する。そして画像読取装置で画像の読み取りを行うときには、このドライバーソフトを起動する。上記目的を達成するために本発明は、画像読取装置で画像の読み取りを行う際、外部装置上に画像読取装置のドライバーソフトを起動する前に、上記透過原稿読取ガイドが画像読取装置の原稿台に置かれているかを判別することにより、自動的に画像の読み取り方法を判別して、画像の読み取り方法を切り替え、外部装置上にドライバーソフトを起動したときに画像の読み取り方法をドライバーの操作部に表示を行うことを特徴としている。
【０００９】
この発明において、画像読取装置で画像の読み取りを行う際、外部装置上に画像読取装置のドライバーソフトを起動する前に、画像読取装置が画像読取装置の原稿台に透過原稿読取ガイドが置かれているかを判別することにより、自動的に画像の読み取り方法を判別し、画像の読み取り方法を切り替え、外部装置上にドライバーソフトを起動したときに画像の読み取り方法をドライバーの操作部に表示を行うことにより、ユーザの外部装置での画像読取装置のドライバーソフトでの読み取り方法の選択に頼ることなく読み取り方法の切り替えを行い、かつ、ユーザに画像読み取り方法を認識させることが可能である画像読取装置を、コストアップすることなく、しかも従来の画像読取装置の構成を変えずに提供することが可能となる。
【発明の効果】
【００１０】
本発明によれば、画像読取装置で画像の読み取りを行う際、外部装置上に画像読取装置のドライバーソフトを起動する前に、画像読取装置が画像読取装置の原稿台に透過原稿読取ガイドが置かれているかを判別することにより、自動的に画像の読み取り方法を判別し、画像の読み取り方法を切り替え、外部装置上にドライバーソフトを起動したときに画像の読み取り方法をドライバーの操作部に表示を行うことにより、ユーザの外部装置での画像読取装置のドライバーソフトでの読み取り方法の選択に頼ることなく読み取り方法の切り替えを行い、かつ、ユーザに画像読み取り方法を認識させることが可能である画像読取装置を、コストアップすることなく、しかも従来の画像読取装置の構成を変えずに提供することが可能となり、画像読取装置を初めて使うユーザも戸惑うことなく画像読取装置を使いこなすことが可能となる。
【発明を実施するための最良の形態】
【００１１】
以下本発明の実施例について、図面を参照しながら説明する。
【実施例１】
【００１２】
以下に図面を参照して本発明の実施例１を詳細に説明する。
【００１３】
図１は、本発明に関わる画像読取システムに用いられる画像読取装置の一つの例を示すものであり、その画像読取装置の断面図である。
【００１４】
図１において、１はスキャナ本体、２は透過原稿ユニット、３は読取原稿である。スキャナ１は、不図示のインターフェースケーブルによりホストコンピュータ（以下、ホスト）に接続されている。このホストはサスペンド操作時、処理を実行中のプログラムについて、その処理の実行に必要なすべての状態を不揮発性メモリ等に記憶保管の上維持し、次にリジュームしたときにこの保管維持している記憶内容をもとにサスペンドにより中断されたプログラムの処理を継続実行するために必要なサスペンド／リジューム機能を備えている。
【００１５】
さらに、スキャナ１は移動光学ユニット４、原稿台ガラス５、電気基板６、パルスモータ７、無端ベルト８、プーリ９、１０、ギア列１１、ガイドレール１２、白色基準板１３を有している。白色基準板１３の中には、黒マーク３６が有り、本スキャナはこの黒マーク３６を基準にして読取エリアを決めて画像を読み取っている。光学ユニット４とパルスモータ７はそれぞれ不図示のケーブルにより電気的に接続されている。また、光学ユニット４は、ガイドレール１２に載置手段１４により摺動可能に載置されている。また、載置手段１４は無端ベルト８に固着されている。
【００１６】
そして、移動光学ユニット４は、反射原稿用光源１５、複数の反射ミラー１６、１７、１８、結像レンズ１９、撮像手段であるラインセンサ２０から構成されている。
【００１７】
スキャナ１の反射原稿画像読み取り動作を簡単に説明する。スキャナ１における読み取り動作の開始は、ホストからの読み取り命令コマンドによる。スキャナ１は、光学ユニット４の反射原稿用光源１５を点灯させ、その反射光を複数のミラー１６、１７、１８により反射させ結像レンズ１９を介してセンサ２０に結像することで主走査方向１ライン分の画像を読取る。また、パルスモータ７の動力をギア列１１によりプーリ９を回転させることで、無端ベルト８を駆動する。これにより、無端ベルト８に対して載置手段１４により固着される光学ユニット４は矢印Ｘの副走査方向にガイドレール上を移動する。
【００１８】
スキャナ１は、光学ユニット４を副走査方向に移動しつつ、前述の主走査方向のライン画像の読み取りを繰り返す。スキャナ１は、図１の光学ユニット４を点線で示す位置まで読み取り動作をしながら移動させることで、原稿台ガラス全面のスキャンが可能となる。但し、ホストからの読み取りコマンドの内容に応じて、原稿台ガラス上の原稿の部分画像を読むことが可能である。その場合には、ホストが指定する読取画像範囲に対して、主走査方向にはセンサ出力のうち採用する画素範囲を、また副走査方向には光学ユニットの移動範囲を電気基板上の後述の制御手段で規定することにより実現する。
【００１９】
次に、スキャナ１の透過原稿画像読取動作を簡単に説明する。
【００２０】
スキャナ１は光学ユニット４の反射原稿用光源１５を消灯し、透過原稿用光源３５を点灯させ、光学ユニット４を透過原稿読み取り用の位置に移動させ、透過原稿用光源３５の反射光を複数のミラー１６、１７、１８により反射させ結像レンズ１９を介してセンサ２０に結像することで主走査方向１ライン分の画像を読取る。また、パルスモータ７の動力をギア列１１によりプーリ９を回転させることで、無端ベルト８を駆動する。これにより、無端ベルト８に対して載置手段１４により固着される光学ユニット４は矢印Ｘの副走査方向にガイドレール上を移動する。
【００２１】
スキャナ１は、光学ユニット４を副走査方向に移動しつつ、前述の主走査方向のライン画像の読み取りを繰り返す。スキャナ１は、図１の光学ユニット４を点線で示す位置まで読み取り動作をしながら移動させることで、原稿台ガラス全面のスキャンが可能となる。但し、ホストからの読み取りコマンドの内容に応じて、原稿台ガラス上の原稿の部分画像を読むことが可能である。その場合には、ホストが指定する読取画像範囲に対して、主走査方向にはセンサ出力のうち採用する画素範囲を、また副走査方向には光学ユニットの移動範囲を電気基板上の後述の制御手段で規定することにより実現する。また、副走査方向に光学ユニットを移動させる場合には、あらかじめ決められた何種類かの速度があり、ホストが指定する画像読み取りの設定により、システムコントローラ２６が適正な速度を選択し、画像の読み取りを行っている。
【００２２】
次に図２を参照して、それぞれの機能ブロックの実施形態を説明する。
【００２３】
先ず、光学ユニット４において、２４は反射原稿用光源１５と透過原稿用光源３５を点灯するための光源点灯回路であり、この中に光源の光量検知を行うための検知手段が含まれている。また、読み取る原稿により、反射原稿用光源１５と透過原稿用光源３５を切り替えている。反射原稿用光源１５と透過原稿用光源３５に冷陰極管を用いた場合には、いわゆるインバータ回路となる。電気基板６において、２５はパルスモータ７用のモータ駆動回路であり、スキャナ１のシステム制御手段であるシステムコントローラ２６からの信号によりパルスモータ７の励磁切替え信号を出力する。
【００２４】
２７Ｒ、２７Ｇ、２７Ｂはアナログゲイン調整器であり、ラインセンサ２０から出力されたアナログ画像信号を可変増幅することが可能な構成である。２８はＡ／Ｄ変換器であり、可変アナログゲイン調整器２７から出力されたアナログ画像信号をデジタル画像信号に変換する。２９は画像処理手段であり、デジタル信号化された画像信号に対してオフセット補正、シェーディング補正、デジタルゲイン調整、カラーバランス調整、マスキング、主・副走査方向の解像度変換を画像圧縮等の画像処理を行う。
【００２５】
３０はラインバッファであり、画像データを一時的に記憶する部分であり、汎用のランダムアクセスメモリで実現している。３１はインターフェース部であり、ホスト２１と通信するためのものである。ここではＵＳＢインターフェースで実現しているが、ＩＥＥＥ１３９４等別のインターフェースも採用することも可能である。３２は画像処理を行う際のワーキングエリアとして用いられるフセットＲＡＭである。このオフセットＲＡＭ３２は、ラインセンサ２０がＲＧＢ用ラインセンサを各々所定のオフセットを持って平行に配置されているので、そのＲＧＢライン間オフセットの補正用として用いられる。また、オフセットＲＡＭは、シェーディング補正等の各種データの一時記憶も行う。ここでは汎用のランダムアクセスメモリで実現している。
【００２６】
３３はガンマカーブを記憶し、ガンマ補正を行うためのガンマＲＡＭである。２６はスキャナ全体のシーケンスを記憶したシステムコントローラであり、ホスト２１からの命令にしたがって各種制御を行う。３４はシステムコントローラ２６と画像処理手段２９とラインバッファ３０とインターフェース部３１とオフセットＲＡＭ３２とガンマＲＡＭ３３をつなぐシステムバスであり、アドレスバスとデータバスによって構成されている。
【００２７】
次に図３を参照して、透過原稿読取ガイドの実施形態を説明する。
【００２８】
先ず、３７は透過原稿読取ガイドであり、反射原稿と透過原稿で読取エリアが異なっているため、透過原稿の読取エリアをユーザに簡単に認識するために、透過原稿読取ガイド３７を使っている。また、これは３５ｍｍスリーブフィルム用を読み取るための透過原稿読取ガイドであり、他にも透過原稿の種類に応じて、４Ｘ５用、ブローニ用、３５ｍｍマウントフィルム用等がある。
【００２９】
３８は透過原稿用光源３５のシェーディング補正を行うためのスリットである。３９は３５ｍｍスリーブフィルムを置くためのスリットであり、この部分に３５ｍｍスリーブフィルムを置いて画像の読み取りを行う。４０は読み取りを行う際、原稿台に置かれている原稿の種類を判別するために読み取るエリアで、このエリアの画像情報を元にして、原稿の種類を判別し、原稿を読み取る方法を切り替える。
【００３０】
次に図４を参照して、ホスト２１で画像読取装置をコントロールするドライバーソフトの操作部の実施形態を説明する。
【００３１】
４１は画像読取装置の画像読み取り方法を示している。従来はユーザがここで画像読取装置の読み取り方法を切り替えていた。また、ユーザは、ここの表示で反射原稿の読み取りか、透過原稿の読み取りかを判断することができる。４２は原稿の種類を示している。ユーザはホスト２１に読み込む画像を選択する。４３はホスト２１に読み込むための画像を４５に表示するためのボタンである。これは、画像をホスト２１に読み込む前に仮画像を読み込み、画像処理を施すために仮に読み込まれるものである。４４はホスト２１に画像を読み込むためのボタンである。これによりホスト２１に画像の読み込みを始めることができる。
【００３２】
次に、本発明実施例１に係る読み取り動作の制御方法について、図５を使って説明する。
【００３３】
スキャナ１の電源をＯＮする（ステップ１）。この時、スキャナ１の画像読取基準位置を決める等のスキャナ１の初期化をして、スキャナ１が画像の読み取りが可能な状態になっている。スキャナ１をコントロールするホスト２１にスキャナ１のドライバーソフトを起動しようとしたとき（ステップ２）、スキャナ１は画像読取エリア４０の画像を読み取る（ステップ３）。
【００３４】
画像読取エリア４０の画像の先端から連続して１０ライン白と認識された場合はステップ５に進み、それ以外の場合はステップ７に進む（ステップ４）。画像読取エリア４０の画像の後端から連続して１０ライン黒と認識された場合はステップ６に進み、それ以外の場合はステップ７に進む（ステップ５）。ステップ６では、スキャナ１は透過原稿読み取り用の読み取り方法に切り替えを行う。ステップ７では、スキャナ１は反射原稿読み取り用の読み取り方法に切り替えを行う。そして判別された結果に基づいてスキャナ１をコントロールするホスト２１のドライバーソフト上にある画像の読み取り先を表示する部分４１に表示をする（ステップ８）。
【実施例２】
【００３５】
次に、本発明の実施例２に係る読み取り動作の制御方法について、図６を用いて説明する。
【００３６】
ステップ８までは、本発明実施例１と同様である。ステップ５にてスキャナ１の画像の読み取り先が判別され、この結果に基づき画像の読み取りを行う（ステップ９）。これにより、ユーザはスキャナ１のドライバーソフトを起動しただけでホスト２１に適切な画像を読み込むことが可能となる。
【図面の簡単な説明】
【００３７】
【図１】実施例１に係る画像読取装置を示す内部構成図
【図２】実施例１に係る画像読取装置の電気的構成の一例を示すブロック図
【図３】実施例１に係る透過原稿読取ガイドの構成図
【図４】実施例１に係る画像読取装置の外部機器上にあるドライバーソフトの操作部
【図５】実施例１に係る画像読取装置の読み取り動作を示すフローチャート
【図６】実施例２に係る画像読取装置の読み取り動作を示すフローチャート
【符号の説明】
【００３８】
１  スキャナ本体
２  透過原稿ユニット
３  読取原稿
４  移動光学ユニット
５  原稿台ガラス
６  電気基板
７  パルスモータ
８  無端ベルト
９、１０  プーリ
１１  ギア列
１２  ガイドレール
１３  白色基準板
【図１】
2006157408.tif 000003
【図２】
2006157408.tif 000004
【図３】
2006157408.tif 000005
【図５】
2006157408.tif 000006
【図６】
2006157408.tif 000007
【図４】
2006157408.tif 000008